(57)【要約】【課題】  写真・地図・紀行文の三要素からなる電子アルバムを作る場合、従来の技術では、人間の思考のプロセスと流れが相違するため思考の中断を余儀なくされたり、貼り付け・はめ込みなどの二度手間の作業が発生し、そのために多大な労力と時間が必要であった。【解決手段】  本発明は、人間の自然な思考・作成のプロセスに沿って、写真目次１、詳細写真集２、地図３、紀行文４の情報要素データベースを一般市販ソフトを用いてそれぞれ独立して作成することを可能とし、それら情報要素データベース間の関連付けには、従来の貼り付け・はめ込み手法によらず、「相互にハイパーリンクを張ることによって関連付け」する手法を新たに導入し、それを簡便な方法で実現する楽々関連付け電子アルバム作成支援システムを提供するものである。【選択図】  図１
2005108192.tif 000002
【特許請求の範囲】
【請求項１】
人間の自然な思考・作成のプロセスに沿って、写真、地図、紀行文の情報要素データベースをそれぞれ独立して作成することを可能とし、それら情報要素データベース間の関連付けに関しては、相互にハイパーリンクを張ることによって関連付けを行う手法を導入して電子アルバムを作成するもので、また、それを簡便な方法で可能とするデータベース構成と支援ソフトで構成される楽々関連付け電子アルバム作成支援システム。
【請求項２】
「請求項１」に記載の楽々関連付け電子アルバム作成支援システムに於いて、データベース構成は、「写真目次」、「詳細写真集」、「地図」、「紀行文」、これら四つのデータベースから構成され、写真目次は紀行を代表する画像データの集まりであり、静止画のウェブ形式フォルダ構成のデータベースとし、詳細写真集は同一箇所・同一グループごとに小分けされた画像データの集まりであり、静止画または動画のウェブ形式、スライドショー形式、ビデオ形式のいずれかの形式でフォルダまたはファイル構成のデータベースとし、地図は地図情報からなるウェブ形式フォルダ構成のデータベースとし、紀行文は紀行記述情報からなるウェブ形式ファイル構成のデータベースとすることを特徴とする楽々関連付け電子アルバム作成支援システム。
【請求項３】
「請求項１」または「請求項２」に記載の楽々関連付け電子アルバム作成支援システムに於いて、関連付けに関して、写真目次、地図、紀行文の各ウェブ形式データベース内の同一箇所・同一グループとして関連付けたい場所に、「リンク先ポインター」を追記し、それに「ＨＴＭＬラベル（＝ＨＴＭＬ  ｎａｍｅ）」を付し、それらを関連付けの基本要素とし、支援ソフトは、「テーブル形式関連図」の中で、同一箇所・同一グループの関連付けに用いる識別子として、写真目次、地図、紀行文については、当該箇所・グループにつけたＨＴＭＬラベルを用い、詳細写真集については、当該箇所・グループにつけたフォルダ名またはファイル名を用いて関連付けを行うものであり、テーブル形式関連図から処理すべきＨＴＭＬラベルを順次読み出しては、写真目次フォルダと地図フォルダの中から当該ＨＴＭＬラベルを含むファイルを見つけ出し、それら見つけ出された写真目次ファイルおよび地図ファイルと、テーブル形式関連図に指定された紀行文ファイルの各々につき、当該ＨＴＭＬラベルが付されたリンク先ポインター記述部分に於いて、テーブル形式関連図の指定に基づき、写真目次、詳細写真集、地図、紀行文データベースの当該部分へのハイパーリンク記述の追加生成を行うことを特徴とする楽々関連付け電子アルバム作成支援システム。
【発明の詳細な説明】
【技術分野】
【０００１】
本発明は楽々関連付け電子アルバム作成支援システムに関する。
【背景技術】
【０００２】
従来、写真、地図、紀行文の三情報要素で構成される電子アルバムを作る場合、多くはそれら三情報要素を貼り付けて、合成された一つの情報に纏めることによって三情報要素の関連付けを行っていた。しかしながら、これらの三情報要素は、人間の思考のプロセス、作成のプロセスとしては、個々独立して別々の時点でプロセスされのが普通である。即ち、写真を撮るときは、画像を写し撮るのに専念し、結果として写真がデジタルカメラのメモリーや銀塩カメラのフィルムに写真情報として蓄積される。また、地図は、旅先でカタログを集めたり、インターネットで検索・収集したり、自分でツールを使って作成したりしてその情報を準備する。また、紀行文は、旅行から帰宅後、旅先でメモっておいたものを基に、改めて紀行文として推敲して作成するのが普通である。このように三情報要素は、個々独立して作成されるのが、人間の思考・作成のプロセスからすると、ごく自然な流れである。一方、電子アルバムの作り方として、写真データベースから一つの写真を取り出しては、地図に「貼り付け」、その時点で当該写真部分の紀行文を推敲しながら「貼り付ける」、そして、また次の写真を取り出し、同様の作業を繰り返してアルバムを作成して行く作り方がある。これは、人間の思考・作成のプロセスからすると、紀行文の推敲に関して、流れに逆らって思考の中断を来たすものであり、紀行文の品質を著しく低下させる。
また、もう一つ別の作り方としては、写真、地図、紀行文の三情報要素のデータベースを人間の思考・作成のプロセスに沿って一端完成させた後に、その写真データベースから写真を一つ取り出しては、地図に「貼り付け」、そして、紀行文データベースから当該部分を抜き出して「貼り付ける」という方法でアルバムを作成して行く作り方がある。これは、作業としては、二度手間であり、大変な労力と時間の無駄である。前者または後者、いずれの方法を取るにしても、この「貼り付ける」という方法は、人間の思考の中断を来たし、アルバム品質を著しく低下させたり、または、二度手間による労力と時間の浪費という致命的な欠陥がある。
【０００３】
「貼り付け」方式によらないで、且つ、従来技術を用いて、写真、地図、紀行文の三情報要素の電子アルバムの作成も可能であるが、それには、大変な労力と時間を要する。即ち、写真、地図、紀行文のデータベースを個々独立して作成し、それらを写真毎、場所毎、紀行文毎に、相互関連付ける方法であるが、これには手作業で、大変な労力と時間を要し、間違いも起こり易いので実用に供するとは言い難い。もし行うとすれば、その具体的手順は以下の通りである。関連付けの第一段階としては、関連付けたい写真目次のＨＴＭＬラベルの一つにつき、そのラベルを含むファイルを写真目次フォルダの中から見つけ出し、その「リンク先（詳細写真、地図、紀行文）」のＨＴＭＬ記述部分に於いて、詳細写真へのパイパーリンクをつける。次に、同ラベルを含むファイルを地図フォルダの中から見つけ出し、写真目次から地図へのハイパーリンクをつける。そして、写真目次から紀行文へのハイパーリンクをつける。これを同一箇所・同一グループのＨＴＭＬラベルの数だけ繰り返す。これを全部手作業で行う。関連付けの第二段階としては、関連付けたい地図の同ラベルにつき、そのラベルを含むファイルを地図フォルダの中から見つけ出し、その「リンク先（詳細写真、写真目次、紀行文）」のＨＴＭＬ記述部分に於いて、詳細写真へのハイパーリンクをつける。次に、同ラベルを含むファイルを写真目次フォルダの中から見つけ出し、地図から写真目次へのハイパーリンクをつける。そして、地図から紀行文へのハイパーリンクをつける。これを同一箇所・同一グループのＨＴＭＬラベルの数だけ繰り返す。これもまた、全部手作業で行う。関連付けの第三段階としては、関連付けたい紀行文の同ラベルにつき、その「リンク先（詳細写真、写真目次、地図）」のＨＴＭＬ記述部分に於いて、詳細写真へのハイパーリンクをつける。次に、同ラベルを含むファイルを写真目次フォルダの中から見つけ出し、紀行文から写真目次へのハイパーリンクをつける。同様に、同ラベルを含むファイルを地図フォルダの中から見つけ出し、紀行文から地図へのハイパーリンクをつける。これを同一箇所・同一グループのＨＴＭＬラベルの数だけ繰り返す。これもまた、全部手作業で行う。このような膨大な手作業は、労力と時間の観点から実用に供するものではない。
【０００４】
また、最近では、インターネット経由で写真情報をサービス提供業者に送ったり、その業者の代理店に写真情報の入ったＣＤ−ＲＯＭを持ち込むと、地図付きのアルバム台紙を作成・返送してくれるサービスも出現しつつあるようだが、この場合、地図はその業者の提供してくれるものに限定されてしまうので、自分の目的にあったものが手に入るかどうかという問題がある。その上、その地図に写真、紀行文を「貼り付ける」方式なので、前記０００２項で指摘した基本的な問題は共通である。
【０００５】
また、関連付けに係る作業を簡便にするための新しいシステムを考案しようとしている業者もいるようだが、この場合は、このために開発された新しいデジタルカメラが必要となったり、そのシステム要件が求める形式で、デジタル情報を提供してくれる関連業者の出現が前提となるので、その実現までには、課題が多い。その上、最終的には、「貼り付け」方式の電子アルバムとなるので、前記０００２項で指摘した基本的な問題は、この場合も共通である。
【特許文献１】特開２００１−１６７１１５
【特許文献２】特開２００２−８２９５７
【特許文献３】特開２００２−３５８３１０
【非特許文献１】かんたん  ホームページ・ビルダー７  ユーザーズ・ガイド（日本アイ・ビー・エム株式会社）  第５章「どもでも配置モード」
【発明の開示】
【発明が解決しようとする課題】
【０００６】
本発明は以上のような従来の欠点に鑑み、写真、地図、紀行文の三情報要素の作成・思考プロセスと電子アルバム作成のプロセスの流れを同じにすることによって、（１）プロセスの流れに逆らう思考の中断を無くし、（２）作業面に於いても、一度作った写真、地図、紀行文の三情報要素データベース間を簡便な方法で相互関連付けすることによって、「貼り付ける」という二度手間の作業を無くし、（３）その結果として、労力と時間の大幅削減と品質の向上を図る「楽々関連付け電子アルバム作成支援システム」を提供することを目的としている。
【０００７】
本発明の前記ならびにそのほかの目的と新規な特徴は、次の説明を添付図面と照らし合わせて読むと、より完全に明らかになるであろう。但し、図面はもっぱら解説のためのものであって、本発明の記述的範囲を限定するものではない。
【課題を解決するための手段】
【０００８】
上記目的を達成するために、請求項１の本発明は、人間の自然な思考・作成のプロセスに沿って、写真、地図、紀行文の情報要素データベースをそれぞれ独立して作成することを可能とし、それら情報要素データベース間の関連付けは、相互にハイパーリンクを張ることによって関連付けを行う手法を導入した新形態の電子アルバムを作成するもので、また、それを簡便な方法で可能とするデータベース構成と支援ソフトで構成される「楽々関連付け電子アルバム作成支援システム」であることを特徴としている。
【０００９】
請求項２の発明は、請求項１に記載の楽々関連付け電子アルバム作成支援システムに於いて、データベース構成は、「写真目次」、「詳細写真集」、「地図」、「紀行文」、これら四つののデータベースから構成される。写真目次は紀行を代表する画像データの集まりであり、静止画のウェブ形式フォルダ構成のデータベースである。詳細写真集は同一箇所・同一グループごとに小分けされた画像データの集まりであり、静止画または動画のウェブ形式、スライドショー形式、ビデオ形式のいずれかの形式でフォルダまたはファイル構成のデータベースである。地図は地図情報からなるウェブ形式フォルダ構成のデータベース、紀行文は紀行記述情報からなるウェブ形式ファイル構成のデータベースである。これらデータベースの構成と属性は、請求項３に記載の支援ソフトと相俟って、新形態の電子アルバムを実現する楽々関連付け電子アルバム作成支援システムの基本となるものであることを特徴としている。
【００１０】
請求項３の発明は、請求項１または請求項２に記載の楽々関連付け電子アルバム作成支援システムに於いて、支援ソフトは、関連付けに関して、従来一般的に用いられる貼り付け手法によらずに、ハイパーリンクによる手法を導入し、且つその方法として、「リンク先ポインター」と「ＨＴＭＬラベル（＝ＨＴＭＬ  ｎａｍｅ）」の活用と新たに考案した「テーブル形式関連図」の採用による簡便な方法で関連付けを実現したものである。即ち、写真目次、地図、紀行文の各ウェブ形式データベース内の同一箇所・同一グループとして関連付けたい場所に、リンク先ポインターを追記し、それにＨＴＭＬラベルを付し、それらを関連付けの基本要素とし、「テーブル形式関連図」の中で、同一箇所・同一グループの関連付けに用いる識別子として、写真目次、地図、紀行文については、当該箇所・グループにつけたＨＴＭＬラベルを用い、詳細写真集については、当該箇所・グループにつけたフォルダ名またはファイル名を用いて関連付けを行う。本支援ソフトは、テーブル形式関連図から処理すべきＨＴＭＬラベルを順次読み出しては、写真目次フォルダと地図フォルダの中から当該ＨＴＭＬラベルを含むファイルを見つけ出し、それら見つけ出された写真目次ファイルおよび地図ファイルと、テーブル形式関連図に指定された紀行文ファイルの各々につき、当該ＨＴＭＬラベルが付されたリンク先ポインター記述部分に於いて、テーブル形式関連図の指定に基づき、写真目次、詳細写真集、地図、紀行文データベースの当該部分へのハイパーリンク記述の追加生成を行う。これらハイパーリンクによる手法、リンク先ポインターとＨＴＭＬラベルの活用、テーブル形式関連図、フォルダ・ファイルの検索機能、ハイパーリンク記述の追加生成は支援ソフトの基本要素であり、楽々関連付け電子アルバム作成支援システムの基本となるものであることを特徴としている。
【発明の効果】
【００１１】
以上の説明から明らかなように、本発明にあっては次に列挙する効果が挙げられる。
（１）本発明は、人間の自然な思考・作成のプロセスに沿って、写真、地図、紀行文の情報要素データベースをそれぞれ独立して作成することを可能とし、それら情報要素データベース間の関連付けは、相互にハイパーリンクを張ることによって関連付けを行う新形態の電子アルバムを作成するもので、また、それを簡便な方法で可能とする楽々関連付け電子アルバム作成支援システムで構成されるものなので、思考の中断をせずに、人間のごく自然な思考の流れに沿って、電子アルバムの作成を進めることができる。従って、より品質の高いアルバム作りが可能となる。
【００１２】
（２）前記（１）に於いて、関連付け作業の前段階となる各データベースの作成には、一般市販のアプリケーションソフトを活用するが、前記０００９項の要件さえ満たせば、いろいろある市販アプリケーションソフトの中から自分の好みに合ったものを選べばよいので、選択の幅が広い。特に、写真目次や詳細写真集データベースの作成には、優れた機能で、使い勝手が良く、見た目も素晴らしいデータベースを作成してくれる市販アプリケーションソフトが沢山あるが、それらの良さを活用できるのは、嬉しいことである。また、市販アプリケーションソフトが作成するデータベースと本発明支援ソフトとのインターフェースは業界標準のウェブ形式、スライドショー形式、ビデオ形式、フォルダ、ファイル、ＨＴＭＬラベルを採用するので汎用性が高い。
【００１３】
（３）前記（１）によって、作業面に於いても、一度作った写真、地図、紀行文の三情報要素データベース間を簡便な方法で相互関連付けができるので、市販のホームページ作成ツールを使える程度のスキルレベルの人であれば、誰でも本発明を利用して容易に電子アルバムを作成することができる。貼り付け・はめ込みなどの二度手間の作業が無くなるのみならず、ＨＴＭＬラベルとテーブル形式関連図の採用により、関連付け作業が劇的に軽減され、従来関連付けに要していた手作業の多大な労力と時間が大幅に削減され且つ正確性も向上する。
【００１４】
（４）既存の電子アルバムがある場合、それに地図、紀行文、詳細写真集を後から任意の時点で追加する形で「追加の後処理」が出来るので、既存の電子アルバムをより見やすく、内容を豊かなものに改善できる。但し、この場合既存のアルバムは前記０００９項の条件を満たすことが必要である。
【発明を実施するための最良の形態】
【００１５】
以下、図面に示す発明を実施するための最良の形態により、本発明を詳細に説明する。
【００１６】
図１は、本発明の楽々関連付け電子アルバム作成支援システムを活用して作られる、最良の実施形態に於けるデータベースの構成と関連付けを示すブロック図である。図１に於いて、データベースは、「写真目次」１、「詳細写真集」２、「地図」３、「紀行文」４、これら四つののデータベースから構成される。写真目次１は紀行を代表する画像データの集まり（説明やリンク先ポインターなどを貼り付けた画像データであってもよい）であり、静止画のウェブ形式フォルダ構成のデータベースである。詳細写真集２は同一箇所・同一グループごとに小分けされた画像データの集まり（説明を貼り付けた画像データであってもよい）であり、静止画または動画のウェブ形式、スライドショー形式、ビデオ形式のいずれかの形式でフォルダまたはファイル構成のデータベースである。地図３は地図情報からなるウェブ形式フォルダ構成のデータベース、紀行文４は紀行記述情報からなるウェブ形式ファイル構成のデータベースである。通常の家庭パソコン（中央演算処理装置、メモリー記憶装置、ハードディスク記憶装置、画像表示装置、印刷装置、ＣＤ−ＲＯＭ装置、キーボード、マウス、インターネット通信装置、その他スキャナなどユーザーの必要に応じた入出力装置、オペレーティングシステム、ウェブブラウザーなどを備えたものをいう）を用いて、前記全体設計の仕様を満たすべく、市販アプリケーションソフトを用いて写真目次１、詳細写真集２、地図３、紀行文４のデータベースを作成し、パソコンのハードディスク上の同一ディレクトリーに、それらデータベースを保存する。
【００１７】
紀行文データベースは、ここではファイル構成としたが、それに限定されるものではなく、必要があればフォルダ構成に変更することも可能である。その場合、支援ソフトの関連部署への変更が必要となる。
【００１８】
次に、写真目次１、地図３、紀行文４の各ウェブ形式データベース内の同一箇所・同一グループとして関連付けたい場所に、リンク先を表示するための「リンク先ポインター」（後述する）を追記し、その表記に対して「ＨＴＭＬラベル（＝ＨＴＭＬ  ｎａｍｅ）」を定義する（＝付ける）。この作業は、市販のホームページ作成ツールなどを使えば、単純なリンク先ポインターから手の込んだ複雑なものまで容易に追記可能であるし、ＨＴＭＬラベルの定義も容易に行うことができる。一例を挙げれば、市販のホームページ作成ソフトで、写真目次１、地図３、紀行文４の各データベース内の関連付けたい同一箇所・同一グループの画面を、同時または順次呼び出し、それら三つの各画面上でリンク先を指定したい箇所に於いて、リンク先ポインターを追記し、そこにＨＴＭＬラベルを定義していくというやり方である。関連付けたい同一箇所・同一グループの数だけリンク先ポインターを追記し、ＨＴＭＬラベルを定義する。写真目次１、地図３、紀行文４の三データベース間で、一つの同一箇所・同一グループに定義したＨＴＭＬラベルは一義的な共通名（同一ラベルが同一データベース内に複数箇所定義されてはならない）を使用するが、そのラベルを付したリンク先ポインターの表記内容は相違してもよい。例えば、「リンク先ポインター」は、写真目次１では「リンク先Ｘ（詳細写真、地図、紀行文）」、地図３では「リンク先Ｙ（詳細写真、写真目次、紀行文）」、紀行文４では「リンク先Ｚ（詳細写真、写真目次、地図）」となる。あるデータベースで定義した同一箇所・同一グループが、別のデータベース内で該当箇所・グループが無い場合は、その別のデータベース内では、そのリンク先ポインターの追記やＨＴＭＬラベルの定義がなくてもよい。同様に、詳細写真集２に於いては、関連付けられるべき同一箇所・グループが無い場合は、その同一箇所・グループに対応するフォルダやファイルを作成しなくてもよい。また、リンク先ポインターの表記方法は、前記の例に限定されるものではなく、ポジショナルパラメータとしての意味づけを変えない限り、文字、イラスト、写真、シンボル、記号などを組み合わせて、表記内容をいろいろ変化させてもよいし、サイズや色を変化させてもよい。また、写真説明や紀行文の記述の一部を、リンク先ポインターの表記の一部として利用してもよい。この工夫次第で、写真目次１、地図３、紀行文４の表示画面上の美観を良くし、見易くすることもできるし、また、表示画面上で背景の文字・絵・図・写真との重なりを最小限に抑えることもできる。また、「リンク先（ＸＸＸ、ＹＹＹ、ＺＺＺ）」のリンク先ＸＸＸ、ＹＹＹ、ＺＺＺのポジショナルパラメータの順番は、一義的に定義する限り任意に定義してよく、場合によっては、パラメータの個数を一部省略することも、新規に追加することも可能である。その場合、支援ソフトの関連部署への変更が必要となる。また、ＨＴＭＬ文法の規定するところであるが、表示画面上に於いて、ＨＴＭＬ記述ソースの編集画面では、ＨＴＭＬラベルは表示されるが、実行画面では、ＨＴＭＬラベルは表示されず、一方、リンク先ポインターは、編集・実行の両画面で、表示されるものである（但し、イラスト・写真など���、ＨＴＭＬ記述ソースの編集画面ではその名称のみ表示され、実行画面では意図したイラスト・写真が表示される）。
【００１９】
図２は、本発明の支援ソフトの機能とテーブル形式関連図を示すブロック図である。関連付けたい同一箇所・同一グループを図２に示す「テーブル形式関連図」１１で定義する。
同関連図１１に於いて、関連付けの対象となる写真目次フォルダ名１２（例、ｍｏｋｕｊｉ）、地図フォルダ名１３（例、ｃｈｉｚｕ）、紀行文ファイル名１４（例、ｋｉｋｏｕ）を記述する。次に、関連付けたい同一箇所・同一グループを示すために写真目次１、地図３、紀行文４の当該箇所つけたＨＴＭＬラベル（共通名）をＨＴＭＬラベル欄１６に例、富士山１８のように記述する。そして、詳細写真集フォルダ名またはファイル名欄１７には、それに関連付けたい詳細写真集フォルダ名またはファイル名を例、フォルダ＝ｆｕｊｉｓａｎ１９のように対応付けて記述する。これを、関連付けたいＨＴＭＬラベルの数だけ続けて記述する。例外ではあるが、写真目次１、詳細写真集２、地図３、紀行文４の四データベース間で、あるＨＴＭＬラベルにつき一部のデータベースに於いて、関連付けるべき同一箇所・同一グループが無いという場合があってもよい。
【００２０】
本発明の支援ソフトは、ユーザーが前記のテーブル形式関連図１１を作成するのを会話ガイダンス方式により支援する。即ち、本支援ソフトは、先ず最初に、写真目次１のフォルダ名１２、地図３のフォルダ名１３、紀行文４のファイル名１４を会話形式でユーザーに応答してもらうとそれらの各データベースのＨＴＭＬ記述ソースを自動的に検索し、新しいＨＴＭＬラベルを見つけ出す度に、それと関連付けるべき詳細写真集２のフォルダ名またはファイル名１９を会話形式でユーザーに応答してもらう方式でテーブル形式関連図１１を作成して行き、新しいＨＴＭＬラベルが無くなり、テーブル形式関連図１１が完成すると、それを一つのファイルとして、ハードディスク上の上記の各種データベースと同一のディレクトリー内に保存する。
【００２１】
上記テーブル形式関連図１１のデザインや方式はこれに限定されるものではなく、ポジショナルパラメータ形式、キーワードパラメータ形式、会話ガイダンス方式、テキストファイルの読み込み方式などいろいろのデザインや方式であってもよい。
【００２２】
図３は、本発明の支援ソフトの処理手順を示すフローチャートである。本発明の支援ソフトはテーブル形式関連図ファイルを読み込み（ステップＳ１）、その関連図１１に基づき、関連付けるべきＨＴＭＬラベル１８を一つ読み出す（ステップＳ２）。写真目次フォルダ１２と地図フォルダ１３の中から当該ＨＴＭＬラベルを含むファイルを見つけ出す。次に、詳細写真集フォルダ１９の中から、関連付けるべきファイルを見つけ出す。そして見つけ出された写真目次、詳細写真集、地図のファイルとテーブル形式関連図１１に指定された紀行文ファイル１４の四ファイルにつき、それらのパス情報（所属するドライブ・ディレクトリー・ファイルの経路情報）を取得する（ステップＳ３）。その見つけ出された当該写真目次ファイルのＨＴＭＬ記述の中で、当該ラベル１８が定義された場所、即ち、リンク先ポインター「リンク先Ｘ（詳細写真、地図、紀行文）」ＨＴＭＬ記述部分に於いて、そのそれぞれのリンク先、即ち、当該詳細写真集ファイルのトップ、次に地図ファイルの当該ＨＴＭＬラベルの付された箇所、そして紀行文ファイルの当該ＨＴＭＬラベルの付された箇所、それら三箇所へのハイパーリンクＨＴＭＬ記述２２を生成し追加する（ステップＳ４）。次に、同見つけ出された当該地図ファイルのＨＴＭＬ記述の中で、当該ラベル１８が定義された場所、即ち、リンク先ポインター「リンク先Ｙ（詳細写真、写真目次、紀行文）」ＨＴＭＬ記述部分に於いて、そのそれぞれのリンク先、即ち、当該詳細写真集ファイルのトップ、次に写真目次ファイルの当該ＨＴＭＬラベルの付された箇所、そして紀行文ファイルの当該ＨＴＭＬラベルの付された箇所、それら三箇所へのハイパーリンクＨＴＭＬ記述２３を生成し追加する（ステップＳ５）。そして更に、紀行文ファイルのＨＴＭＬ記述の中で、当該ラベル１８が定義された場所、即ち、リンク先ポインター「リンク先Ｚ（詳細写真、写真目次、地図）」ＨＴＭＬ記述部分に於いて、そのそれぞれのリンク先、即ち、当該詳細写真集ファイルのトップ、次に写真目次ファイルの当該ＨＴＭＬラベルの付された箇所、そして地図ファイルの当該ＨＴＭＬラベルの付された箇所、それら三箇所へのハイパーリンクＨＴＭＬ記述２４を生成し追加する（ステップＳ６）。これで関連付けるべき一つのＨＴＭＬラベルについての処理が終了したことになる。この処理を関連付けるべきＨＴＭＬラベルがなくなるまで続ける（ステップＳ７）。
【００２３】
上記で作成される写真・地図・紀行文から構成される電子アルバム・データベースは、紀行アルバムのみならず、観光案内、旅行ガイド、道案内、イベント会場案内、スキーコース案内、美術館案内、展示場案内、売り場案内など多様なデータベースに活用可能である。その場合、写真、地図はその目的に沿う内容のものに置き換えればよい。また、紀行文はそれぞれの目的に沿う説明文・案内文・記述に置き換えればよい。
【実施例１】
【００２４】
図１は、本発明の楽々関連付け電子アルバム作成支援システムを活用して作られる、最良の実施形態に於けるデータベース構成と関連付けを示すブロック図である。
【実施例２】
【００２５】
図４は「写真目次」データベースとして代表的な画像イメージを選んで目次作りをすることをせずに、撮影の時系列のまま画像イメージを並べて、それを写真目次とする電子アルバムの構成図である。
【実施例３】
【００２６】
図５は本発明を活用して作られる観光案内のデータベース構成を表わす。
【実施例４】
【００２７】
図６は本発明を活用して作られる展示場案内のデータベース構成を表わす。
【図面の簡単な説明】
【００２８】
【図１】本発明の楽々関連付け電子アルバム作成支援システムを活用して作られる、最良の実施形態に於けるデータベース構成と関連付けを示すブロック図である。
【図２】本発明の支援ソフトの機能と「テーブル形式関連図」を示すブロック図である。
【図３】本発明の支援ソフトの処理手順を示すフローチャートである。
【図４】撮影した時系列画像を写真目次にそのまま用いる場合のデータベース構成と関連付けを表わす。
【図５】本発明を活用して作られる観光案内のデータベース構成と関連付けを表わす。
【図６】本発明を活用して作られる展示場案内のデータベース構成と関連付けを表わす。
【符号の説明】
【００２９】
１：      写真目次データベース、
２：      詳細写真集データベース、
３：      地図データベース、
４：      紀行文データベース、
１１：    テーブル形式関連図、
１２：    写真目次フォルダ名欄、
１３：    地図フォルダ名欄、
１４：    紀行文ファイル名欄、
１５：    ＨＴＭＬラベルと詳細写真集の関連付けを表わすテーブル、
１６：    写真目次、地図、紀行文ＨＴＭＬ記述内で同一箇所・同一グループにつけたＨＴＭＬラベル欄、
１７：    同一箇所・同一グループを示すラベル名に対応する詳細写真集のフォルダまたはファイル名欄、
１８：    同一箇所・同一グループを示すラベル名の例、
１９：    詳細写真集のフォルダ名の例、
２０：    本発明の支援ソフトが行う処理作業、
２１：    本発明の支援ソフトの処理作業結果の成果物、
２２：    同上成果物中、写真目次ＨＴＭＬ記述に関する成果物、
２３：    同上成果物中、地図ＨＴＭＬ記述に関する成果物、
２４：    同上成果物中、紀行文ＨＴＭＬ記述に関する成果物、
２５：    詳細写真集データベース（支援ソフトの処理前後で変化なし）。
【図１】
2005108192.tif 000003
【図２】
2005108192.tif 000004
【図３】
2005108192.tif 000005
【図４】
2005108192.tif 000006
【図５】
2005108192.tif 000007
【図６】
2005108192.tif 000008